(57)【要約】【課題】配信形態の異なるテレビ放送や双方向ビデオ配信サービスの視聴等の利用を複合化した装置で、利用者に快適な操作環境下で有料の各種サービスを活用していただく。【解決手段】有料サービスの表示を指示する「有料映画」キー(34)の指示に応じて提供可能な複数のサービスを一元的に選択可能な状態で表示させ（ステップＳ01）、表示されたサービスの１つを選択する操作を受付け（ステップＳ02〜Ｓ04）、選択したサービスがテレビ放送配信サービスであれば所定の選局処理を、双方向ビデオ配信サービスであれば所定の配信要求送信処理を実行して再生を開始させる（ステップＳ09）。【選択図】      図３
2006197381.tif 000002
【特許請求の範囲】
【請求項１】
施設構内に敷設された配信網を介し、有料で提供される複数の周波数帯のテレビ放送配信サービス及び双方向ビデオ配信サービスを利用可能な施設内複合端末装置であって、
操作に応じて上記有料で提供されるサービスの表示を指示する指示手段と、
この指示手段での指示に応じて提供可能な複数のサービスを一元的に選択可能な状態で表示させる表示手段と、
この表示手段により表示されたサービスの１つを選択する選択手段と、
この選択手段で選択したサービスが、テレビ放送配信サービスであれば所定の選局処理を、双方向ビデオ配信サービスであれば所定の配信要求送信処理を実行する実行制御手段と
を具備したことを特徴とする施設内複合端末装置。
【請求項２】
上記表示手段は、複数のサービスを一覧画面で表示させることを特徴とする請求項１記載の施設内複合端末装置。
【請求項３】
上記表示手段は、複数のサービスの少なくとも１つを個々に直接表示させる状態と複数のサービスを一覧画面で表示させる状態とを有し、
上記指示手段は、その操作回数によって上記表示手段の表示状態を切換える
ことを特徴とする請求項１記載の施設内複合端末装置。
【請求項４】
上記複数の周波数帯のテレビ放送配信サービス及び双方向ビデオ配信サービスは一括課金の有料サービスで提供され、
上記選択手段での選択が、課金前であれば一括課金である旨を、課金後であれば課金済みである旨を提示する提示手段をさらに具備した
ことを特徴とする請求項１記載の施設内複合端末装置。
【請求項５】
上記提示手段は、上記配信サービスで提供される画像の少なくとも一部で文字ガイドメッセージにより提示することを特徴とする請求項４記載の施設内複合端末装置。
【発明の詳細な説明】
【技術分野】
【０００１】
本発明は、例えばホテルや旅館等の宿泊施設、あるいは病院等の入院施設などで不特定の利用者が、テレビ放送やビデオ・オン・デマンドの視聴、あるいはパーソナルコンピュータの利用等を行なう施設内複合端末装置に関する。
【背景技術】
【０００２】
従来、ホテルや旅館などの宿泊施設、あるいは病院などの入院施設に敷設される構内テレビ配信網でテレビ放送を視聴する場合、アンテナで受信した地上波放送、及びＣＳ放送等と、施設内で独自に放送する自主放送等の複数の番組を客室等に個別に設置した専用のテレビ放送受信装置で受信し、復調した出力をこのテレビ放送受信装置に接続したモニタ装置に出力して視聴する方法が一般的である。
【０００３】
このような場合、上記複数の番組の一部には有料番組が割り当てられ、利用者がその有料番組を視聴した場合にはその料金を支払う仕組みとなっており、機器を貸与して運営するオペレータや施設管理者の重要な収益となっている。
【０００４】
近年、ＢＳデジタル放送や１１０°ＣＳデジタル放送等の高画質で多彩なハイビジョン番組等が普及し、且つ地上波デジタル放送も開始され、上記施設においてもそれらの設備対応を余儀なくされている一方で、テレビ放送とは配信形態が異なるパーソナルコンピュータを利用したデータストリーミングでのビデオ・オン・デマンド（双方向ビデオ配信サービス）で映画などを有料化して提供するシステムや、インターネット接続環境、及び各種ワードプロセッサや表計算等のアプリケーションプログラムを利用可能な環境の実現が急務とされている。
【０００５】
これらデジタルテレビ放送を視聴する設備やビデオ・オン・デマンドの視聴設備などの導入で、利用者にさらなるサービスを提供し、その運営を推進するためには、それら配信形態の異なるテレビ放送やデータ通信等を、より簡易な操作体系の端末装置で自由に利用していただくことが必須となる。
【０００６】
種類の異なるデータを混在して提供する一方法として、病院や銀行等の待合場所で待つ人に見える場所に設置された情報表示器により、広告情報を含んだ一般の情報や各種クライアントからの特有データを混成して表示させるようにした技術が考えられている。（例えば、特許文献１）
【特許文献１】特開２００２−０３２０６７号公報
【発明の開示】
【発明が解決しようとする課題】
【０００７】
しかしながら、上記特許文献１の技術は、同時に不特定多数の利用者が公共性の高い待合場所で見る、コンピュータで取扱うデータのみを対象としたものであり、テレビ放送のように利用者個人がそれぞれ自己の趣味嗜好等に応じて視聴内容を選択するような場合を想定していない。
【０００８】
本発明は上記のような実情に鑑みてなされたもので、その目的とするところは、配信形態の異なるテレビ放送やビデオ・オン・デマンドの視聴等の利用を複合化した装置で、利用者に快適な操作環境下で有料の各種サービスを活用していただくことが可能な施設内複合端末装置を提供することにある。
【課題を解決するための手段】
【０００９】
請求項１記載の発明は、施設構内に敷設された配信網を介し、有料で提供される複数の周波数帯のテレビ放送配信サービス及び双方向ビデオ配信サービスを利用可能な施設内複合端末装置であって、操作に応じて上記有料で提供されるサービスの表示を指示する指示手段と、この指示手段での指示に応じて提供可能な複数のサービスを一元的に選択可能な状態で表示させる表示手段と、この表示手段により表示されたサービスの１つを選択する選択手段と、この選択手段で選択したサービスが、テレビ放送配信サービスであれば所定の選局処理を、双方向ビデオ配信サービスであれば所定の配信要求送信処理を実行する実行制御手段とを具備したことを特徴とする。
【００１０】
請求項２記載の発明は、上記請求項１記載の発明において、上記表示手段は、複数のサービスを一覧画面で表示させることを特徴とする。
【００１１】
請求項３記載の発明は、上記請求項１記載の発明において、上記表示手段は、複数のサービスの少なくとも１つを個々に直接表示させる状態と複数のサービスを一覧画面で表示させる状態とを有し、上記指示手段は、その操作回数によって上記表示手段の表示状態を切換えることを特徴とする。
【００１２】
請求項４記載の発明は、上記請求項１記載の発明において、上記複数の周波数帯のテレビ放送配信サービス及び双方向ビデオ配信サービスは一括課金の有料サービスで提供され、上記選択手段での選択が、課金前であれば一括課金である旨を、課金後であれば課金済みである旨を提示する提示手段をさらに具備したことを特徴とする。
【００１３】
請求項５記載の発明は、上記請求項４記載の発明において、上記提示手段は、上記配信サービスで提供される画像の少なくとも一部で文字ガイドメッセージにより提示することを特徴とする。
【発明の効果】
【００１４】
請求項１記載の発明によれば、配信形態の異なるテレビ放送やビデオ・オン・デマンド（双方向ビデオ配信サービス）の視聴等の利用を複合化した装置で、複数の有料配信サービスが一元的に表示される中でそのいずれかを選択することにより、随時所望する配信サービスを受けることができるので、利用者に快適な操作環境下で有料の各種サービスを活用していただくことが可能となる。
【００１５】
請求項２記載の発明によれば、上記請求項１記載の発明の効果に加えて、複数の有料サービスを一覧画面で表示させ、その中から１つを選択することにより、きわめて理解し易い形で所望のサービスを選択することができる。
【００１６】
請求項３記載の発明によれば、上記請求項１記載の発明の効果に加えて、一部のサービスについては選択を行なうまでもなくその内容を直接視聴することができ、提供者側が推奨するものや人気が高いと思われるものに対する利用者の選択操作をより簡略化して利用し易くすることができる。
【００１７】
請求項４記載の発明によれば、上記請求項１記載の発明の効果に加えて、有料サービスの料金体系を簡単にし、利用者に理解し易い形で提示できるため、より利用者数の増加を見込むことができる。
【００１８】
請求項５記載の発明によれば、上記請求項４記載の発明の効果に加えて、装置側に例えば専用のインジケータ等を設ける必要がなく、ハードウェア上で対応せずとも実現できるので、装置を提供する側の負担を軽減することができる。
【発明を実施するための最良の形態】
【００１９】
（第１の実施の形態）  
以下本発明をホテル施設館内に設置した、テレビ放送視聴システムとコンピュータ、ビデオ・オン・デマンドの視聴システムが複合したシステムで、上記ホテルの各客室毎に設置される施設内複合端末装置に適応した場合の第１の実施の形態について図面を参照して説明する。
【００２０】
なお、ホテル施設館内のテレビ放送視聴システムは、ＢＳ・１１０°ＣＳデジタル放送と地上波デジタル放送をそれぞれ専用のアンテナで受信し、それらの出力と、館内の自主放送、及び全デジタルテレビ放送受信装置を管理するフロントコンピュータに接続されたデータ回線からの信号を混合器で同一周波数軸上に配列して混合した後に、このシステムの配信網を構成する同軸伝送ラインを通じて、ホテル館内の各客室内に配置された複合端末装置内のテレビ放送受信装置まで伝送する。
【００２１】
一方、コンピュータを使用するビデオ・オン・デマンド（双方向ビデオ配信サービス）による映画などのストリーミングデータや、一般的なパーソナルコンピュータのＯＳ（オペレーティングシステム）及びアプリケーションソフト（ビデオ・オーディオ再生ソフト、ワードプロセッサ・ソフト、表計算ソフト、電子メール・ソフト、個人情報管理ソフト、インターネット閲覧ソフト等）は、ホテル館内のサーバ装置に蓄積されており、例えば館内のフロア単位等で区分したハブを経由してＬＡＮ回線より各客室に設置された複合端末装置内のコンピュータにダウンロードすることで、その都度、利用可能となる。
【００２２】
図１は、各客室内に設置される主として施設内複合端末装置１の接続と機能の概略構成を示すもので、この施設内複合端末装置１は、基本的にテレビ放送受信装置２とコンピュータ３とが一体にして構成されている。
【００２３】
テレビ放送受信装置２では、ＢＳ・１１０°ＣＳデジタル放送の中間周波信号、地上波デジタル放送の受信信号、及び館内の自主放送であるコマーシャル放送を同軸伝送ライン１０より入力し、このテレビ放送受信装置２内のＢＳ・１１０°ＣＳデジタルチューナまたは地上波チューナに送り、リモートコントローラ５からの指示操作に対応した選局動作を実行し、当該チャンネルのトランポートストリーム（ＴＳ）を復調して、必要により同じくテレビ放送受信装置２内に装着されるＢ−ＣＡＳカードに記憶された情報に従いスクランブルを解除、復号化することで映像及び音声の情報を得、これもテレビ放送受信装置２内のＡＶデコーダにより時間的に連続した映像信号とステレオ音声信号とを生成する。
【００２４】
こうして生成された映像信号とステレオ音声信号は、この施設内複合端末装置１と共に設置される液晶モニタ装置４に映像及び音声ケーブル１１で接続して出力することで、この液晶モニタ装置４より映像と音声が共に再生出力される。
【００２５】
一方、コンピュータ３は、テレビ放送受信装置２によるテレビ放送の視聴、ＬＡＮ回線１２を介して入力されるストリーミングデータによる映画等のビデオ・オン・デマンドの視聴、上述したパーソナルコンピュータのアプリケーションソフトの利用を同じく上記リモートコントローラ５での操作に応じて実現する。
【００２６】
リモートコントローラ５のキー等の操作により発信される赤外線変調信号は、テレビ放送受信装置２内の受光センサにより受信され、その復調信号がリモコン信号ケーブル１３を介してコンピュータ３内の制御部に入力される。
【００２７】
テレビ放送受信装置２とコンピュータ３との間は、他にシリアル通信ライン１４及び映像及び音声ケーブル１５で接続され、テレビ放送受信装置２はコンピュータ３とシリアル通信ライン１４を介して適宜必要な制御データの送受を行なうと共に、コンピュータ３から映像及び音声ケーブル１５を介して送られてくる映像及び音声信号を、映像及び音声ケーブル１１を介して液晶モニタ装置４へ出力することで再生出力させる。
【００２８】
図２は、リモートコントローラ５の具体的なキートップ構成を例示するものである。ここでは、本実施の形態で使用するキー等のみを主体にして説明するもので、施設内複合端末装置１の電源をオン／オフする電源キー３１、所望のチャンネルを選局操作するための数値キーよりなるチャンネルキー３２、画面中に表示されるカーソルの上下左右各方向への移動を指示する方向指示キー３３、有料サービスである有料映画の一覧画面を表示させるための「有料映画」キー３４、上記方向指示キー３３の中心にあってポインティングデバイスとして機能するトラックボール３５、無料放送のチャンネルのアップ／ダウンを指示する無料チャンネル（ＣＨ）アップ／ダウンキー３６、選択状態からの決定を指示する「決定」キー３８、及び１つ前の状態に戻るための「戻る」キー３９を有している。
【００２９】
次いで上記実施の形態の動作について説明する。
【００３０】
図３は、施設内複合端末装置１の電源が投入されている状態で、コンピュータ３内の制御部が予め記憶されている動作プログラムにしたがって実行する、リモートコントローラ５の「有料映画」キー３４の操作に伴う処理内容を示すものであり、その処理当初には、予め用意されている有料映画一覧画面の画像信号を読出して出力し、液晶モニタ装置４で表示させる（ステップＳ０１）。
【００３１】
図４は、この液晶モニタ装置４で表示される有料映画一覧画面を例示するもので、ここでは、  
「１．ＣＳ放送の映画Ａ」  
「２．ＣＳ放送の映画Ｂ」  
「３．オンデマンドの映画１」  
「４．オンデマンドの映画２」  
「５．オンデマンドの映画３」  
の計５本の有料映画を一覧表示している状態を示す。
【００３２】
このような有料映画の一覧画面を表示した状態で、リモートコントローラ５の「戻る」キー３９が操作されたか否か（ステップＳ０２）、方向指示キー３３またはトラックボール３５によりいずれかの番組を選択する操作がなされたか否か（ステップＳ０３）を繰返し判断することで、これらの操作を待機する。
【００３３】
方向指示キー３３またはトラックボール３５の操作がなされたと判断した場合には、ステップＳ０３でこれを判断し、その操作内容に応じて、表示されている有料映画の選択表示を行なう（ステップＳ０４）。
【００３４】
具体的には、例えば方向指示キー３３中の下方向キーあるいは右方向キー、あるいはそれに類するトラックボール３５の回転操作がなされる毎に、一覧表示している有料映画中、カーソルにより反転表示する１つを画面の下方向に移動させるものとする。
【００３５】
反対に方向指示キー３３中の上方向キーあるいは左方向キー、あるいはそれに類するトラックボール３５の回転操作がなされる毎に、一覧表示している有料映画中、カーソルにより反転表示する１つを画面の上方向に移動させるものとする。
【００３６】
加えて、最上位置の「１．ＣＳ放送の映画Ａ」と最下位置の「５．オンデマンドの映画３」は操作体系上、循環的に連続しているものとし、例えば反転表示のカーソルが最下位置の「５．オンデマンドの映画３」にある状態でさらに方向指示キー３３中の下方向キーあるいは右方向キー、あるいはそれに類するトラックボール３５の回転操作がなされた場合には、次に最上位置の「１．ＣＳ放送の映画Ａ」が反転表示によりカーソル表示されるものとする。
【００３７】
同様に、反転表示のカーソルが最上位置の「１．ＣＳ放送の映画Ａ」にある状態でさらに方向指示キー３３中の上方向キーあるいは左方向キー、あるいはそれに類するトラックボール３５の回転操作がなされた場合には、次に最下位置の「５．オンデマンドの映画３」が反転表示によりカーソル表示される。
【００３８】
このように、施設内複合端末装置１の利用者（宿泊客）の操作に応じて、選択されている有料映画の位置を順次移動させる。
【００３９】
しかるに、利用者が任意の有料映画を選択している状態で「決定」キー３８が操作されるとステップＳ０２でこれを判断し、次にこの「決定」キー３８の操作が１回目であるか否か、すなわち、この施設内複合端末装置１が設置された客室の利用環境であるチェックイン時刻からチェックアウト時刻に至る一日のサイクル中で有料サービスの１つである有料映画の視聴の利用が初めてであるか否かを、例えばこのホテルのフロントコンピュータとのデータ通信により判断する（ステップＳ０５）。
【００４０】
ここで、「決定」キー３８の操作が１回目であると判断した場合は、有料映画利用１回目限定のテロップ（Ａ）を利用者への文字ガイドメッセージとして液晶モニタ装置４で一定時間、例えば２〜３［秒］程度表示し（ステップＳ０６）、併せて例えば上記フロントコンピュータとのデータ通信またはプリペイドカードにより当該客室利用者への課金処理を実行する（ステップＳ０７）。
【００４１】
図５（Ａ）は、このとき液晶モニタ装置４で表示される文字ガイドメッセージによるテロップ（Ａ）の内容を例示するものであり、ここでは  
「有料映画の視聴料金は  
一括して１，０００円です。  
他の映画もご自由にお楽しみ  
になれます。」  
のような文字列を表示させるものとする。
【００４２】
また、上記ステップＳ０５で「決定」キー３８の操作が１回目ではなく２回目以降であると判断した場合は、すでにこの客室利用者への課金処理は行なわれているものとし、テロップ（Ｂ）を利用者への文字ガイドメッセージとして液晶モニタ装置４で一定時間、例えば２〜３［秒］程度表示し（ステップＳ０８）。
【００４３】
図５（Ｂ）は、このとき液晶モニタ装置４で表示される文字ガイドメッセージによるテロップ（Ｂ）の内容を例示するものであり、ここでは  
「視聴料金はすでに課金されて  
います。ご自由にお楽しみく  
ださい。」  
のような文字列を表示させるものとする。
【００４４】
このように有料映画の利用回数に応じたテロップを表示し、初回のみ課金処理を実行した後、選択した有料映画の再生を開始し（ステップＳ０９）、以上でこの図３の処理を終了して、有料映画の再生動作に移行する。
【００４５】
この場合、選択された有料映画がＣＳ放送であればテレビ放送受信装置２により当該チャンネルを選局する一方で、選択された有料映画がオンデマンドであればその映画の動画データを配信するべく図示しないサーバ装置に要求信号を送信し、その要求信号に応答して該当する動画データがストリーミングデータの状態で送られてくるとこれをコンピュータ３で受信しながら再生を行なうものとなる。
【００４６】
このように、配信形態の異なるテレビ放送やビデオ・オン・デマンド（双方向ビデオ配信サービス）の視聴等の利用を複合化した施設内複合端末装置１で、有料配信サービスである複数の有料映画のタイトル等が利用者に対して一元的に表示され、そのいずれかを選択することにより、随時所望する配信サービスを受けることができるものとしたので、利用者に快適な操作環境下で有料の各種サービスを活用していただくことが可能となる。
【００４７】
加えて、上記図３に示した如く、有料サービスである複数の有料映画のタイトル等を一覧画面で表示させ、その中から１つを選択するものとしたので、利用者にとってきわめて理解し易い形で所望のサービスを選択していただくことができる。
【００４８】
さらに、上記有料サービスは一括料金として設定し、所定の利用環境、例えばホテルであればチェックイン時刻からチェックアウト時刻に相当する時間帯設定で１日（１泊２日）一括○○○○円というように利用者に提示することにより、有料サービスの料金体系を簡単で利用者に理解し易いものとした。
【００４９】
これにより、利用者の割安感を刺激し、より気軽に有料サービスを利用していただくことで、トータルでの利用者数の増加をより確実に見込むことができる。
【００５０】
なお、上記図５（Ａ），同（Ｂ）では、視聴料金に関する情報を文字ガイドメッセージによるテロップとして液晶モニタ装置４の画面で表示するものとしたが、本発明はこれに限ることなく、例えば施設内複合端末装置１の外面にＬＥＤ（発光ダイオード）等によるいくつかの機能表示を行なうインジケータ部を設け、その中で有料サービスに対応するインジケータが赤く発光点灯している場合はまだ課金処理前である一方、同インジケータが緑で発光点灯している場合はすでに課金処理が完了している状態を表す、というような装置構成としてもよい。
【００５１】
しかしながら、上記図５（Ａ），同（Ｂ）で示した如く課金状態を液晶モニタ装置４の画面を用いた画像で表示することにより、施設内複合端末装置１側に上述したような専用のインジケータ部等を設ける必要がなく、ハードウェア上で対応せずとも実現できるので、施設内複合端末装置１を提供する側の負担を軽減することができる。
【００５２】
（第２の実施の形態）  
以下本発明をホテル施設館内に設置した、テレビ放送視聴システムとコンピュータ、ビデオ・オン・デマンドの視聴システムが複合したシステムで、上記ホテルの各客室毎に設置される施設内複合端末装置に適応した場合の第２の実施の形態について図面を参照して説明する。
【００５３】
なお、ホテル施設館内のテレビ放送視聴システムや、コンピュータを使用するビデオ・オン・デマンド（双方向ビデオ配信サービス）による映画などのストリーミングデータや、一般的なパーソナルコンピュータのＯＳ（オペレーティングシステム）を含む各種ソフトウェア等の利用環境については、そけぞれ上記第１の実施の形態と同様であるものとし、その説明は省略する。
【００５４】
加えて、各客室内に設置される主として施設内複合端末装置１の接続と機能の概略構成についても上記図１と同様であるものとし、同一部分には同一符号を用いるものとして、その図示及び説明を省略する。
【００５５】
さらに、リモートコントローラ５の具体的なキートップ構成については、図６に示すように基本的には上記図２に示しものとほぼ同様であるので、同一部分には同一符号を用いるものとし、異なる部分のみを以下に説明する。
【００５６】
すなわち、上記図２における「有料映画」キー３４がなく、図６では代わって有料チャンネル（ＣＨ）アップ／ダウンキー３７及び「有料確認」キー４０をリモートコントローラ５に配設するものとする。
【００５７】
有料チャンネルアップ／ダウンキー３７は、有料番組のチャンネルのアップ／ダウンを指示する。
【００５８】
「有料確認」キー４０は、有料番組の１回目の利用に限り、利用者に有料番組であり、課金処理を行なうことの確認を得るためのものである。
【００５９】
次に上記実施の形態の動作について説明する。
【００６０】
ここでは、有料チャンネルアップ／ダウンキー３７の操作により複数、例えば３つの有料番組を選択可能であり、図７（Ａ）に示すようにそれら３つの有料番組として  
「ＣＳ放送の映画Ａ」  
「ＣＳ放送の映画Ｂ」  
「有料映画一覧」  
が割当てられているものとする。さらに、これらの各有料番組は、図７（Ｂ）に示すように有料チャンネルアップ／ダウンキー３７の操作回数に応じて循環的に選択可能であるものとする。
【００６１】
このうち、「有料番組１」の「ＣＳ放送の映画Ａ」と「有料番組２」の「ＣＳ放送の映画Ｂ」は、有料チャンネルアップ／ダウンキー３７操作により選択した時点で直接選局動作に移行するものとする一方で、「有料番組３」の「有料映画一覧」が選択された場合には、上記第１の図３乃至図５で説明した第１の実施の形態の動作と同様の処理を実行するものとする。
【００６２】
図８は、施設内複合端末装置１の電源が投入されている状態で、コンピュータ３内の制御部が予め記憶されている動作プログラムにしたがって実行する、リモートコントローラ５の有料チャンネルアップ／ダウンキー３７の操作に伴う処理内容を示すものである。
【００６３】
その処理当初には、その直前のチャンネル選択状態から操作された有料チャンネルアップ／ダウンキー３７の内容に対応して、上記図７（Ｂ）で示した如くに有料番組を切換える（ステップＳ５１）。
【００６４】
なお、その直前に選択していたのが有料番組ではなかった場合は、有料チャンネルアップキーと同ダウンキーいずれの操作によっても「有料番組１」すなわち「ＣＳ放送の映画Ａ」に切換えるものとする。
【００６５】
しかるに、この有料番組の切換設定後、切換えた有料番組が「有料番組１」の「ＣＳ放送の映画Ａ」または「有料番組２」の「ＣＳ放送の映画Ｂ」であるか否かを判断する（ステップＳ０２）。
【００６６】
ここで、切換えた有料番組が「有料番組１」及び「有料番組２」のいずれでもなく、「有料番組３」の「有料映画一覧」であった場合には、以後、上記第１の実施の形態の図３のステップＳ０１からの処理を実行するものとし、本実施の形態ではその説明を省略するものとする。
【００６７】
また、上記ステップＳ５２で切換えた有料番組が「有料番組１」または「有料番組２」であった場合には、次にこの有料番組の選択操作が１回目であるか否か、すなわち、この施設内複合端末装置１が設置された客室の利用環境であるチェックイン時刻からチェックアウト時刻に至る一日のサイクル中で、有料サービスの１つである有料映画の視聴の利用が初めてであるか否かを、例えばこのホテルのフロントコンピュータとのデータ通信により判断する（ステップＳ５３）。
【００６８】
ここで、有料番組の選択操作が１回目であると判断した場合には、その有料番組の選局動作を実行して再生視聴する仮選局状態としながら、加えて同一画面中に例えば上記図５（Ａ）で示した課金情報に係る文字ガイドメッセージと、確認のために「有料確認」キー４０の操作を促す文字ガイドメッセージとをそれぞれ重畳して一定時間、例えば６０秒間表示させ（ステップＳ５４）、その状態で当該一定時間が経過したか否か（ステップＳ５５）、「有料確認」キー４０が表示通りに操作されたか否か（ステップＳ５６）を繰返し判断することで、これらの状態となるのを待機する。
【００６９】
しかるに、この仮選局の状態から「有料確認」キー４０が操作されることなく一定時間が経過したと判断した場合、施設内複合端末装置１の利用者は「有料確認」キー４０をあえて操作せず、したがって課金処理を伴う有料番組の視聴を望まなかったことになるので、ステップＳ５５でこれを判断すると、上記有料チャンネルアップ／ダウンキー３７の操作は無効として、有料チャンネルアップ／ダウンキー３７が操作される前のチャンネルを選局する動作に戻り、以上でこの図８の処理を一旦終了する。
【００７０】
また、上記仮選局の状態から一定時間が経過する前に「有料確認」キー４０が操作された場合、施設内複合端末装置１の利用者は課金処理が行なわれることを承伏した上で「有料確認」キー４０を操作したことになるので、ステップＳ５６でこれを判断し、例えば上記フロントコンピュータとのデータ通信またはプリペイドカードにより当該客室利用者への課金処理を実行した上で（ステップＳ５８）、当該仮選局の状態を解除してその時に選局している有料番組を正式に再生視聴するものとし（ステップＳ５９）、以上でこの図８の処理を終了して、有料番組の視聴を続行する。
【００７１】
なお、上記ステップＳ５３で有料番組の選択操作が１回目ではなく２回目以降であると判断した場合は、すでにこの客室利用者への課金処理は行なわれているものとし、有料チャンネルアップ／ダウンキー３７の操作に即時対応して上記ステップＳ５９に進み、有料チャンネルアップ／ダウンキー３７の操作通りその時に切換えた有料番組を再生視聴するものとして以上でこの図８の処理を終了し、有料番組の視聴を続行する。
【００７２】
このように、有料チャンネルアップ／ダウンキー３７の操作により、有料番組の少なくとも一部を他の無料チャンネルアップ／ダウンキー３６と同様、直接選局動作に移行するものとし、一般的な家庭のテレビ受像機でチャンネル選択を行なう場合とほぼ同等の操作体系を模して動作するものとしたので、利用者に不自然な印象を与えることなく、より気軽に有料番組の視聴サービスを利用していただくことができる。
【００７３】
加えて、少なくとも一部の有料のテレビ放送番組については選択に要する操作を簡略化して視聴することができるため、サービスを提供する側にとっても、推奨する番組や人気が高いと思われる番組をより簡易に視聴していただくことができ、利用者により利用し易い環境を設定することで、収益効率を向上させることができる。
【００７４】
なお、上記第１及び第２の実施の形態は、いずれもテレビ放送視聴システムとコンピュータ、ビデオ・オン・デマンドの視聴システムが複合したシステムをホテル施設館内に構築し、そのホテル各客室毎に設置される施設内複合端末装置に適応したものとして、施設内複合端末装置１を液晶モニタ装置４と別体として説明したが、施設内複合端末装置１と液晶モニタ装置４、あるいは一般のテレビ受像機を一体にして構成するものとしても同様に実現できる。
【００７５】
また、上記リモートコントローラ５で行なうキー操作はコンピュータ３のキーボード（ワイヤード／ワイヤレス問わず）または同等の機能を有する他の操作部材を用いるもの、あるいは併用するものとしてもよい。
【００７６】
その他、本発明は上記実施の形態に限らず、その要旨を逸脱しない範囲内で種々変形して実施することが可能であるものとする。
【００７７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００７８】
【図１】本発明の第１の実施の形態に係る主として施設内複合端末装置の接続と機能の概略構成を示すブロック図。
【図２】同実施の形態に係るリモートコントローラのキートップ構成を例示する図。
【図３】同実施の形態に係る「有料映画」キーの操作に対応した処理内容を示すフローチャート。
【図４】同実施の形態に係る有料映画の一覧表示画面を例示する図。
【図５】同実施の形態に係るテロップ表示画面を例示する図。
【図６】本発明の第２の実施の形態に係るリモートコントローラのキートップ構成を例示する図。
【図７】同実施の形態に係る有料番組の選択操作体系を説明する図。
【図８】同実施の形態に係る有料チャンネルアップ／ダウンキーの操作に対応した処理内容を示すフローチャート。
【符号の説明】
【００７９】
１…施設内複合端末装置、２…テレビ放送受信装置、３…コンピュータ、４…液晶モニタ装置、５…リモートコントローラ、１０…同軸伝送ライン、１１…映像及び音声ケーブル、１２…ＬＡＮ回線、１３…リモコン信号ケーブル、１４…映像及び音声ケーブル、１５…映像及び音声ケーブル、３１…電源キー、３２…チャンネルキー、３３…方向指示キー、３４…「有料映画」キー、３５…トラックボール、３６…無料チャンネル（ＣＨ）アップ／ダウンキー、３７…有料チャンネル（ＣＨ）アップ／ダウンキー、３８…「決定」キー、３９…「戻る」キー、４０…有料確認キー。
【図１】
2006197381.tif 000003
【図２】
2006197381.tif 000004
【図３】
2006197381.tif 000005
【図４】
2006197381.tif 000006
【図５】
2006197381.tif 000007
【図６】
2006197381.tif 000008
【図７】
2006197381.tif 000009
【図８】
2006197381.tif 000010